(57)【要約】【課題】  照明がオフされた室内で原稿用照明光がプレゼンテーションの妨げにならなく、原稿交換時に短時間でプレゼンテーション画像を出力するプレゼンテーション装置を実現する。【解決手段】  ＬＥＤ１１ａから出射する光に反射されて受光されるプレゼンテーション用紙の動きを検出部１５ａで検出し、プレゼンテーション用紙の動き時間を動き時間計測部１８１で計測し、動き時間に応じたランプのオン・オフ待機時間を時間設定部１８３で設定し、動き時間計測部１８１で計測された動き時間に対して、時間設定部１８３で設定されたオン・オフ待機時間に基づいたランプのオン・オフ制御を制御部１８４で行うようにしてプレゼンテーション装置を実現した。【選択図】      図１
2007005868.tif 000002
【特許請求の範囲】
【請求項１】
載置台と、前記載置台の上方に設置された撮像カメラと、前記撮像カメラの下方に併設して設けられた前記載置台を可視光により照射するメイン光源と赤外光により照射するサブ光源とを有するプレゼンテーション装置において、
前記載置台上に載置物体が載置された際に、前記サブ光源から出射する光が前記載置物体で反射されて受光した反射光から前記載置物体の動きを検出する検出部と、
前記検出部で検出された前記載置物体の動きから前記載置物体の動き時間を検出する動き時間計測部と、
前記メイン光源がオフの状態のとき、前記動き時間計測部で計測された動き時間に対して、予め設定された前記メイン光源を切り換える基準待機時間を越えた時に前記メイン光源をオンに切り換える切り換え制御部と、
を有することを特徴とするプレゼンテーション装置。
【発明の詳細な説明】
【技術分野】
【０００１】
本発明は、書類や立体物などの資料を撮像し、プレゼンテーション時に資料提示用画像信号として出力するプレゼンテーション装置に関する。
【背景技術】
【０００２】
従来から、会議や学会などで透明のＯＨＰシートにマーカーペンで記述し、拡大照射する投影装置がプレゼンテーション用装置として用いられている。高輝度のランプを用いて直接スクリーンに投影し、明るい投影画像が得られている。
最近になり、ビデオカメラで撮影された画像をスクリーンに投影する投射型テレビが実用化されるようになってきた。ビデオカメラは不透明の資料や立体物を撮影することが出来るため、プレゼンテイション用資料の作成が容易である。しかし、スクリーン輝度はＯＨＰ投射によるほどは高くは得られない。プレゼンテーションルームの照度を低下させるなどにより、スクリーンに投射される画像を見やすくするための工夫が必要とされている。
【０００３】
特許文献１には、書類や立体物をＣＣＤカメラで撮影し、撮影画像を装置外部のスクリーン等に再生する資料提示装置が開示されている。その装置は、操作者に資料を置くべき位置を案内するガイド機能を有する資料台の実現を、ＣＣＤカメラのブランキング区間の間に資料載置台上にガイドパターンとして投射するようにし、ガイドに合わせて資料を載置し、ＣＣＤカメラの撮影視野内の画角に合わせた画像を得ることができる資料提示装置が開示されている。
【特許文献１】特開２００２−９４８３６号公報
【発明の開示】
【発明が解決しようとする課題】
【０００４】
しかしながら、特許文献１に開示されている資料提示装置では、資料の撮影をしている期間中は資料に照明光が当てられている。プレゼンテーションルームの照度が低下されている場合では、観客席から照明光の漏れ光とスクリーンに投影される画像との両者が見えてしまう。特に広い会場で大きなスクリーンを用いたプレゼンテーションを行う場合に、プロジェクターからの投射画像の輝度も低下する。資料提示装置の漏れ光が目障りになってしまうなど、観客はスクリーン上の画像に集中することを妨げられる。効果的なプレゼンテーションを行うことが出来ない。資料提示装置を別室に設置する場合では資料提示装置からの漏れ光を観客から見えなくすることはできるものの、提示画像、画像の切り替えタイミングは説明の流れに合わせ、プレゼンターの意思で操作されるのが好ましい。資料提示装置はプレゼンターの近くに設置される。資料（以降、カラー原稿、プレゼンテーション用紙と呼ぶことがある。）用照明光が漏れにくい資料提示装置の実現が望まれている。
【０００５】
そこで、本発明は、上記のような問題点を解消するためになされたもので、室内照明がオフされたプレゼンテーションルーム中での使用に対しても、プレゼンテーション用紙の照明光がスクリーンに投影されるプレゼンテーション画像の妨げになることがないと共に、照明光がオフの状態でもプレゼンテーション用紙の移動を検出して所定の時間以内にプレゼンテーション画像を出力することができるプレゼンテーション装置を提供することを目的とする。
【課題を解決するための手段】
【０００６】
本願発明は、載置台と、前記載置台の上方に設置された撮像カメラと、前記撮像カメラの下方に併設して設けられた前記載置台を可視光により照射するメイン光源と赤外光により照射するサブ光源とを有するプレゼンテーション装置において、前記載置台上に載置物体が載置された際に、前記サブ光源から出射する光が前記載置物体で反射されて受光した反射光から前記載置物体の動きを検出する検出部と、前記検出部で検出された前記載置物体の動きから前記載置物体の動き時間を検出する動き時間計測部と、前記メイン光源がオフの状態のとき、前記動き時間計測部で計測された動き時間に対して、予め設定された前記メイン光源を切り換える基準待機時間を越えた時に前記メイン光源をオンに切り換える切り換え制御部と、を有することを特徴とするプレゼンテーション装置を提供する。
【発明の効果】
【０００７】
本発明によれば、サブ光源から出射する光が載置物体で反射されて受光した反射光から前記載置物体の動きを検出する検出部と、前記検出部で検出された前記載置物体の動きから前記載置物体の動き時間を検出する動き時間計測部と、メイン光源がオフの状態のとき、前記動き時間計測部で計測された動き時間に対して、予め設定された前記メイン光源を切り換える基準待機時間を越えた時に前記メイン光源をオンに切り換える切り換え制御部とを有するので、室内照明がオフされたプレゼンテーションルーム中での使用に対しても、プレゼンテーション用紙の照明光がスクリーンに投影されるプレゼンテーション画像の妨げになることがないと共に、照明光がオフの状態でもプレゼンテーション用紙の移動を検出して所定の時間以内にプレゼンテーション画像を出力することができるプレゼンテーション装置を実現できる。
【発明を実施するための最良の形態】
【０００８】
以下に本発明の各実施例に係るプレゼンテーション装置について図１〜図４を用いて説明する。
図１は、本発明の実施に係るプレゼンテーション装置の構成例を示すブロック図である。
図２は、本発明の実施に係るプレゼンテーション装置の要部の構成例を示すブロック図である。
図３は、本発明の実施に係るプレゼンテーション装置の外観図である。
図４は、本発明の実施に係るランプ部の構成例を示す図である。
【０００９】
そのプレゼンテーション装置は室内照明がオフされたプレゼンテーションルーム中での使用に対しても、プレゼンテーション用紙の照明光がスクリーンに投影されるプレゼンテーション画像の妨げになることがないと共に、照明光がオフの状態でもプレゼンテーション用紙の移動を検出して所定の時間以内にプレゼンテーション画像を出力するという目的を、サブ光源から出射する光が載置物体で反射されて受光した反射光から前記載置物体の動きを検出する検出部と、前記検出部で検出された前記載置物体の動きから前記載置物体の動き時間を検出する動き時間計測部と、メイン光源がオフの状態のとき、前記動き時間計測部で計測された動き時間に対して、予め設定された前記メイン光源を切り換える基準待機時間を越えた時に前記メイン光源をオンに切り換える切り換え制御部とを有するようにして実現した。
【００１０】
プレゼンテーション装置の構成について述べる。
図１に示すプレゼンテーション装置１はＬＥＤ群１１ａ及びランプ１１ｂからなる２つの照明部１１と、原稿載置台１３と、カメラ１４ａ、赤外線カットフィルタ１４ｂ、及びフィルタ駆動部１４ｃからなるカメラ部１４と、処理部１５と、動き検出部１５ａと、メモリ１５ｂと、画像メモリ１６と、外光受光部１７と、制御部１８と、操作部１９とより構成される。
図２に示す制御部１８は、動き時間計測器１８１、動き時間判定器１８２、閾値設定器１８３、及びランプ制御器１８４より構成される。
【００１１】
プレゼンテーション装置の動作について述べる。
まず、明るいプレゼンテーションルームの中で、原稿載置台１３にプレゼンテーションのタイトル画像を記したカラー原稿（プレゼンテーション用紙）を載置し、左右の照明部１１のランプ１１ｂを点灯する。カメラ部１４はカラー原稿を撮影して画像信号を出力する。処理部１５は入力される画像信号を画像メモリ１６に記憶すると共に、記憶された画像信号を読み出して出力する。出力された画像信号は図示しないプロジェクタに供給され、図示しないスクリーンに投影される。
【００１２】
カメラ部１４から出力される画像信号のうちの輝度信号は動き検出部１５ａに入力される。動き検出部１５ａは入力画像の輝度信号をメモリ１５ｂに記憶すると共に、継続して入力される入力画像とメモリ１５ｂに記憶される記憶画像とを比較する。比較した結果同一画像であるとして認識される時間が例えば３秒を経過した場合に、動き検出部１５ａは静止情報を出力する。制御部１８は動き検出部１５ａからの静止情報が入力されると、フィルタ駆動部１４ｃを駆動してカメラ１４ａの光軸に挿入されている赤外線カットフィルタ１４ｂを抜去する。照明部１１のランプ１１ｂをフェードアウトする様にして消灯し、ＬＥＤ群１１ａを点灯する。赤外光に対する光電変換機能を有するカメラ１４ａはＬＥＤ群１１ａから照射される赤外光に係る画像信号を出力する。赤外光で撮影された赤外画像信号は輝度信号成分のみの白黒信号である。
【００１３】
動き検出部１５ａは、ランプ１１ｂが徐々に消灯（フェードアウト）され、赤外光に照射されて赤外画像信号として得られる信号の動きを検出する。ランプ１１ｂの消灯により画像の輝度成分は変化するものの、被写体の境界位置は変化しない。被写体の境界位置が変化しない画像は静止している画像であると判定する。静止情報を出力する一方、メモリ１５ｂに記憶される画像を更新する。その更新は、例えば２００ｍ秒ごとに行う。照明がランプ１１ｂからＬＥＤ群１１ａに切り替えられ、輝度信号のレベルが変化しても、例えばカラー原稿（プレゼンテーション用紙）の端部の位置が変化しない限り静止している画像であると判定する。
【００１４】
やがて、プレゼンテーションの目的とする画像を観客に効果的に提示するに際し、説明者（プレゼンター）は室内の照明を減光する。又はオフとする。静止情報が出力されている期間は、照明部１１のランプ１１ｂが消灯されているため、プレゼンテーション装置から漏れ出る光はない。観客はスクリーンに投影されるプレゼンテーション画像に集中出来る。
【００１５】
次に、使用者がカラー原稿を交換するためプレゼンテーション装置の方に移動し、原稿載置台１３に載置されていたカラー原稿を取り除く。動き検出部１５ａはカラー原稿の動き（移動）を検出する。動き情報を出力する。制御部１８はフィルタ駆動部１４ｃを駆動して赤外線カットフィルタ１４ｂをカメラ１４ａの光軸中に挿入すると共にランプ１１ｂを点灯する。次のカラー原稿が原稿載置台１３に載置され、所定時間静止するとして検出される場合には上記のランプ１１ｂの制御動作を繰り返す。その間、プレゼンターの原稿交換の操作や、プレゼンテーション装置のランプ１１ｂの漏れ光が観客から目視される。その約５秒後にはランプ１１ｂが消灯され、プレゼンテーション画像に集中させた提示を行える。
【００１６】
図２を参照して制御部１８について述べる。
動き時間計測器１８１には動き検出部１５ａで検出された「静止情報」又は「動き情報」が入力される。閾値設定器１８３には操作部１９が操作されて動きありと判定するための動き時間の閾値、及び静止状態を判定するための閾値に係る静止時間の閾値が入力される。動き時間判定器１８２は動きがあるとして出力される「動き情報」の継続時間と閾値設定器１８３で設定された閾値時間とを比較する。「動き情報」の継続時間が閾値時間を超えた場合にカラー原稿が移動されたと判定する。その判定結果によりランプ制御器１８４を駆動し、ランプ１１ｂを点灯させ、赤外線カットフィルタ１４ｂをカメラ１４ａの光軸に挿入する。カラー原稿を撮影した画像信号が出力される。
【００１７】
上記の判定は、動き量と動き時間の両者に対して行う。動き量が所定以上の場合に「動き情報」を出力し、その動き情報が閾値時間を越えたときにカラー原稿が移動されたと判定する。動き量閾値を小さな値に設定すると原稿に手を触れた場合などで原稿が微少に動いたときに「動き情報」が出力されてしまう。また、プレゼンテーション中に手がカメラ１４ａの視野を横切ることもある。その場合も「動き情報」が出力される。手がカメラ１４ａの視野を横切った後には元の画像が得られる。出力される「動き情報」の時間は短い。「動き情報」の連続して存在する時間を閾値と比較することにより、カラー原稿の移動を正しく判定することができる。好ましくないランプ１１ｂのオンオフの繰り返しを防ぐことができる。動き量に対する閾値は例えば画像全体のうち７０％の領域が一致するとして検出される場合は「動き情報」を出力しない。閾値時間は例えば３秒程度に設定するのがよい。
【００１８】
図３を参照してプレゼンテーション装置の外観について説明する。
プレゼンテーション用原稿を原稿載置台１３上に載置し、照明部１１から照明光を照射し、カメラ部１４で撮影する。照明部１１の照明光を照射するのと反対の側に外光受光部１７があり、そこで室内の照明光（外光）を検出する。制御部１８は検出された室内光の明るさによりランプ１１ｂのオン、オフ制御を行うようにする。操作部１９を操作して、ランプ１１ｂのオン、オフ制御を開始する室内光の明るさを設定できるようにしても良い。
【００１９】
図４を参照して照明部１１について述べる。
同図において、中央部にはランプ１１ｂが配置されている。ランプの上下には赤外光を発光するＬＥＤ群１１ａが配列されている。なお、高輝度の赤外発光ＬＥＤを用いる場合はＬＥＤの数を少なくできる。
【００２０】
ここで、カメラ１４ａは昼夜連続カメラと呼ばれるカメラを用いる。昼間はカラーカメラとして動作し、夜間は赤外光で照射される被写体を撮影する。カメラ１４ａに用いられるＣＣＤ（Charge Coupled Device）は可視光から赤外光領域までの光電変換特性を有している。可視光によるカラー画像の撮影を行う際には赤外光による輝度レベル（Ｙ信号）の影響を防ぐため赤外光除去フィルタ１４ｂをカメラ１４ａの光軸上に配置する。赤外光により撮像した信号は、輝度信号のみの信号（Ｙ信号）として出力される。
【００２１】
以上、室内が暗い場合の動作を主に述べた。外光受光部１７により室内が明るいとして検出され、ランプ１１ｂを完全に消灯させなく、カメラ１４ａの画像信号により動き時間計測器１８１が動き量を計測可能な場合はＬＥＤ群１１ａを点灯したり、赤外線カットフィルタ１４ｂの挿入、抜去を行う必要はない。設定される閾値時間での動き判定を行えればよく、仮にカメラ１４ａから出力される信号のＳ／Ｎが悪化している場合であっても、動き時間判定器１８２は平均化処理した輝度信号による判定を行えればよい。
【００２２】
詳述したように、本実施例で述べたプレゼンテーション装置によれば、サブ光源から出射する光が載置物体で反射されて受光した反射光から前記載置物体の動きを検出する検出部１５ａと、前記検出部で検出された前記載置物体の動きから前記載置物体の動き時間を検出する動き時間計測部１８１と、メイン光源がオフの状態のとき、前記動き時間計測部で計測された動き時間に対して、予め設定された前記メイン光源を切り換える基準待機時間を越えた時に前記メイン光源をオンに切り換える切り換え制御部１８４とを有するので、室内照明がオフされたプレゼンテーションルーム中での使用に対しても、プレゼンテーション用紙の照明光がスクリーンに投影されるプレゼンテーション画像の妨げになることがないと共に、照明光がオフの状態でもプレゼンテーション用紙の移動を検出して所定の時間以内にプレゼンテーション画像を撮像して出力することができるプレゼンテーション装置を実現できる。
【産業上の利用可能性】
【００２３】
書類や立体物などの資料を撮像し、プレゼンテーション時に資料提示用画像信号として出力する資料提示装置に適応できる。
【図面の簡単な説明】
【００２４】
【図１】本発明の実施に係るプレゼンテーション装置の構成例を示すブロック図である。
【図２】本発明の実施に係るプレゼンテーション装置の要部の構成例を示すブロック図である。
【図３】本発明の実施に係るプレゼンテーション装置の外観図である。
【図４】本発明の実施に係るランプ部の構成例を示す図である。
【符号の説明】
【００２５】
１    プレゼンテーション装置
１１    照明部
１１ａ    ＬＥＤ群
１１ｂ    ランプ
１３    原稿載置台
１４    カメラ部
１４ａ    カメラ
１４ｂ    赤外線カットフィルタ
１４ｃ    フィルタ駆動部
１５    処理部
１５ａ    動き検出部
１５ｂ    メモリ
１６    画像メモリ
１７    外光受光部
１８    制御部
１９    操作部
１８１    動き時間計測器
１８２    動き時間判定器
１８３    閾値設定器
１８４    ランプ制御器
【図１】
2007005868.tif 000003
【図２】
2007005868.tif 000004
【図３】
2007005868.tif 000005
【図４】
2007005868.tif 000006